(57)【要約】本発明は、移動無線信号の送受信を行う送受信電子回路とこれを少なくとも部分的にカプセル化するケーシングとを有する通信端末機に関する。ここでケーシングは電磁放射および／または電界および／または印加電圧の作用により光学的特性を変化させる電磁気感応性材料を含む。
2005505201.tif 000002
【特許請求の範囲】
【請求項１】
移動無線信号の送受信を行う送受信電子回路と該送受信電子回路を少なくとも部分的にカプセル化するケーシングとを有する
通信端末機、例えば移動無線端末機において、
ケーシングは電磁放射および／または電界および／または印加電圧の作用によりその光学的特性を変化させる電磁気感応性材料を含む
ことを特徴とする通信端末機。
【請求項２】
電磁気感応性材料は電磁気感応性のプラスティック材料である、請求項１記載の通信端末機。
【請求項３】
電磁気感応性材料は電磁放射および／または電界および／または印加電圧の作用によりその色および／または透光性を変化させる、請求項１または２記載の通信端末機。
【請求項４】
電磁気感応性材料の光学的特性の変化の大きさは電磁放射の強度および／または電界強度および／または印加電圧の大きさに依存する、請求項１から３までのいずれか１項記載の通信端末機。
【請求項５】
電磁気感応性材料は射出成形により処理される、請求項１から４までのいずれか１項記載の通信端末機。
【請求項６】
電磁気感応性材料は有利には透明な第２の材料内に埋め込まれている、請求項１から５までのいずれか１項記載の通信端末機。
【請求項７】
前記第２の材料は高い安定性を有する、請求項６記載の通信端末機。
【請求項８】
電磁気感応性材料は電磁気感応性のシートから形成されている、請求項７記載の通信端末機。
【発明の詳細な説明】
【技術分野】
【０００１】
本発明は、移動無線信号の送受信を行う送受信電子回路とこれを少なくとも部分的にカプセル化するケーシングとを有する通信端末機に関する。
【０００２】
ユーザが所定の通信端末機、例えば移動無線端末機を購入しようとするか否かの決定の際には、市販入手可能な移動無線端末機の技術的な特徴のほか、その光学的特性や形状特性も重要な基準となる。こうしたことから、種々のメーカで、種々のデザインバリエーションを有する移動無線端末機が提供されている。例えば１つの移動無線端末機に対してユーザが気分に応じて交換できるように種々のケーシング表面を提供することが挙げられる。またユーザの購入決定の基準としては利用される移動無線端末機から送信される電磁放射の強度がますます重要になってきている。移動無線網のネットワーク条件に応じて、移動無線端末機は種々の送信電力、つまり異なる強度の電磁放射で移動無線信号を送信することに注意されたい。ただしその時点での送信電力またはその時点で送信されている電磁放射の強度を表示するための手段は、これまでメーカでは殆ど備えられてこなかった。
【０００３】
したがって本発明の課題は、冒頭に言及した形式の通信端末機において、送信電力に依存する駆動パラメータを識別できるよう、興味を引く光学的印象を与える手段を提供することである。
【０００４】
この課題は、移動無線信号の送受信を行う送受信電子回路と少なくともこれを部分的にカプセル化するケーシングとを有する通信端末機、例えば移動無線端末機において、ケーシングが電磁放射および／または電界および／または印加電圧の作用によりその光学的特性を変化させる電磁気感応性材料を有するように構成して解決される。
【０００５】
ケーシングを電磁気感応性材料から形成することにより、光学的印象のみによってその時点で当該の端末機がどれだけの送信電力で駆動されているかを各ユーザにシグナリングすることができる。したがってユーザは当該の通信端末機を頭部に近い位置で駆動するか、また低い送信電力しか必要ない場所で駆動するかなどを決定することができる。後者の状態はユーザに対して別の光学的印象、例えばケーシングの色の変化や透明度（透光性）の変化などによってシグナリングされる。
【０００６】
基本的には電磁放射の強度に依存してその光学的特性を変化させる電磁気感応性材料が選択される。そのほか、電磁気感応性材料の光学的特性を移動無線端末機の送受信アンテナの直接近傍にかかる電界強度に依存して、また送信電力に比例するケーシングへの印加電圧に依存して変化させてもよい。
【０００７】
本発明の１つの実施形態では、電磁気感応性材料は電磁気感応性のプラスティック材料である。電磁気感応性のプラスティックを選択することにより、処理が簡単になり、ケーシングを低コストで製造できるので有利である。
【０００８】
前述したように、電磁気感応性材料はその色および／または透光性を電磁放射および／または電界強度および／または印加電圧の作用によって変化させるように構成されている。つまり例えば電磁放射の強度が増大したときに、電磁気感応性材料の色が緑から赤へ変化したり、材料が輝いたり“蛍光”したりするように構成することができる。また同様に材料の透光性を変化させ、電磁放射の強度または印加される電圧の強度が増大したときにこの材料が不透明になるように構成することもできる。
【０００９】
さらに前述のように、電磁気感応性材料の光学的特性の変化の大きさは電磁放射の強度または電界強度または印加電圧の大きさに依存する。処理の際には電磁気感応性材料は射出成形プロセスで製造されると有利である。このようにすれば多数のケーシングを低コストに製造することができる。
【００１０】
基本的にはケーシング全体を電磁気感応性材料、特にプラスティック材料から製造するのであるが、コスト低減のために電磁気感応性材料を透明な第２の材料内に埋め込むこともできる。この第２の材料が例えば電磁気感応性材料よりも低コストであれば、本発明の移動無線端末機にかかる製造コストをさらに低減することができる。第２の材料として例えばポリカーボネート、ＡＢＳなどを使用することができる。
【００１１】
これについてさらに、第２の材料が高い安定性、特に高い衝撃耐性などを有するように構成すると有利である。安定な材料で形成されたチャンバ内に形状の安定しない電磁気感応性材料を埋め込むとき、この材料が極端な場合凝集状態で流動的であったとしても本発明を実現することができ、電磁気感応性材料を選択する際の自由度が高まる。
【００１２】
本発明の別の実施形態では、電磁気感応性材料は電磁気感応性シートから形成される。電磁気感応性シートは前述したように第２の材料内に埋め込むこともできるし、また接着剤などを介してこれに接着することもできる。
【００１３】
以下に本発明の実施例を図１を参照しながら説明する。図１には本発明の移動無線通信端末機を前面から見た図が示されている。
【００１４】
図１には本発明の移動無線端末機１０が示されている。この端末機は電磁気感応性材料から成るケーシング１２と、アンテナ１４と、通話またはサービスに関連する機能を表示するディスプレイ１６と、自身を制御するためのキーボード１８とを有している。
【００１５】
ケーシング１２は前述したように電磁気感応性材料から製造されている。これはアンテナから送信される電磁放射２０の強度が変化するとその光学的特性を変化させる材料である。例えば、移動無線端末機１０と通信する図示しない基地局が当該の移動無線端末機１０（ＧＳＭ規格に準拠した端末機）から送信電力の増大を要求された場合、この端末機と基地局とのあいだの安定した確実なコネクションを保証するために行われる。
【００１６】
電磁放射２０の強度が移動無線端末機１０の領域で上昇すると、当該の端末機は例えば色または色の輝度を変化させたり、透明度（透光性）を変化させたりする。これらの光学的特性のうち１つまたは複数のものが変更され、送信された電磁放射の強度が増大しているかまたは低減しているかをユーザが一義的に判別することができる。例えば通信端末機のケーシング１２は小さな送信電力での駆動を表す透明な状態から電磁放射２０の大きな強度を表す不透明な状態へ変化する。
【００１７】
本発明の移動無線端末機１０は自身がその時点でどれほどの送信電力によって駆動されているかをユーザに表示することもできる。これによりユーザはその時点でのＳＡＲ値（Specific Absorption Rate）がどれほどであるかを評価でき、その評価に依存して当該の通信端末機を利用するか否かを決定することができる。
【図面の簡単な説明】
【００１８】
【図１】本発明の移動無線通信端末機の前面図である。
【国際公開パンフレット】
2005505201.tif 000003
2005505201.tif 000004
2005505201.tif 000005
2005505201.tif 000006
2005505201.tif 000007
2005505201.tif 000008
2005505201.tif 000009
2005505201.tif 000010
2005505201.tif 000011
2005505201.tif 000012
【国際調査報告】
2005505201.tif 000013
2005505201.tif 000014
2005505201.tif 000015
2005505201.tif 000016